(57)【要約】【課題】電子時計側で接続対象とする電子機器を選択すること。【解決手段】電子時計と電子機器間の通信制御システムは、互いに異なる複数の時計識別子を有し、前記複数の時計識別子のうち一の時計識別子を選択する時計識別子選択部と、選択された前記時計識別子を含むブロードキャストメッセージを送信する送信部と、を有する電子時計と、固有の機器識別子を有し、少なくとも一の前記時計識別子と、少なくとも自機の機器識別子との対応関係を記憶する対応関係記憶部と、前記ブロードキャストメッセージを受信する受信部と、前記ブロードキャストメッセージに含まれる前記一の時計識別子と前記自機の機器識別子が対応付けられている場合に対応と判定する対応判定部と、前記対応判定部が対応と判定した場合に、前記電子時計との接続を確立する接続確立部と、を有する少なくとも１つの電子機器と、を含む。【選択図】図２
2020148781.tif 000002
【特許請求の範囲】
【請求項１】
互いに異なる複数の時計識別子を有し、
前記複数の時計識別子のうち一の時計識別子を選択する時計識別子選択部と、
選択された前記時計識別子を含むブロードキャストメッセージを送信する送信部と、
を有する、近距離無線通信におけるブロードキャスタ（アドバタイザ）として機能する電子時計と、
固有の機器識別子を有し、
少なくとも一の前記時計識別子と、少なくとも自機の機器識別子との対応関係を記憶する対応関係記憶部と、
前記ブロードキャストメッセージを受信する受信部と、
前記ブロードキャストメッセージに含まれる前記一の時計識別子と前記自機の機器識別子が対応付けられている場合に対応と判定する対応判定部と、
前記対応判定部が対応と判定した場合に、前記電子時計との接続を確立する接続確立部と、
を有する、近距離無線通信におけるオブザーバ（スキャナ）として機能する少なくとも１つの電子機器と、
を含む、電子時計と電子機器間の通信制御システム。
【請求項２】
前記対応関係記憶部は、前記一の前記時計識別子と、前記自機の機器識別子との対応関係に加え、前記複数の時計識別子と、他機の機器識別子との対応関係を記憶する、
請求項１に記載の電子時計と電子機器間の通信制御システム。
【請求項３】
前記電子機器は、
前記複数の時計識別子のいずれにも前記自機の機器識別子が対応付けられておらず、且つ前記ブロードキャストメッセージに含まれる前記一の時計識別子に機器識別子が対応付けられていない場合に非対応と判定する非対応判定部を有し、
前記接続確立部は、さらに前記非対応判定部が非対応と判定した場合に、前記電子時計との接続を確立し、
前記非対応判定部が非対応と判定した場合に接続が確立された場合に、前記一の時計識別子と前記自機の機器識別子とを対応づけて前記対応関係を更新し、前記対応関係記憶部に記憶する対応関係更新部と、を有する、
請求項２に記載の電子時計と電子機器間の通信制御システム。
【請求項４】
前記電子機器は、
少なくとも前記対応関係更新部により前記対応関係が更新された場合に、当該対応関係を前記電子時計に送信する対応関係送信部を有し、
前記電子時計は、
前記対応関係を受信する時計側対応関係受信部と、
前記対応関係を記憶する時計側対応関係記憶部と、を有し、
前記送信部は、前記時計側対応関係記憶部に記憶された前記対応関係をさらに含むブロードキャストメッセージを送信し、
前記電子機器の前記対応関係更新部は、さらに、前記ブロードキャストメッセージに含まれる前記対応関係により、前記対応関係記憶部に記憶された前記対応関係を更新する、
請求項３に記載の電子時計と電子機器間の通信制御システム。
【請求項５】
さらに通信管理サーバを含み、
前記電子機器は、
少なくとも前記対応関係更新部により前記対応関係が更新された場合に、当該対応関係を前記通信管理サーバに送信する対応関係送信部と、
前記通信管理サーバから送信される対応関係を受信する対応関係受信部と、を有し、
前記対応関係更新部は、さらに、前記対応関係受信部により受信した前記対応関係により、前記対応関係記憶部に記憶された前記対応関係を更新し、
前記通信管理サーバは、
前記電子機器から前記対応関係を受信するサーバ側対応関係受信部と、
前記対応関係を記憶するサーバ側対応関係記憶部と、
ｃと、を有する、請求項３に記載の電子時計と電子機器間の通信制御システム。
【請求項６】
前記通信管理サーバは、
前記対応関係が更新された場合に、当該対応関係から削除された機器識別子を有する電子機器に対し、同機器が当該対応関係から削除されたことを示す削除通知を送信する削除通知送信部を有し、
前記電子機器は、
前記削除通知を受信する削除通知受信部と、
前記削除通知を受信した場合に、前記対応関係記憶部に記憶された前記対応関係を削除する対応関係削除部と、を有する、
請求項５に記載の電子時計と電子機器間の通信制御システム。
【請求項７】
前記電子機器は、前記複数の時計識別子と、それぞれの前記時計識別子に対応づけられた機器との対応関係を表示部に表示させる対応関係表示部を有する、
請求項２〜６のいずれか１項に記載の電子時計と電子機器間の通信制御システム。
【請求項８】
前記電子機器は、
入力部からの入力に応じて、前記対応関係を編集する対応関係編集部をさらに有し、
前記対応関係送信部は、さらに前記対応関係編集部により前記対応関係が編集された場合にも当該対応関係を前記電子時計に送信する、
請求項４に記載の電子時計と電子機器間の通信制御システム。
【請求項９】
前記電子機器は、
入力部からの入力に応じて、前記対応関係を編集する対応関係編集部をさらに有し、
前記対応関係送信部は、さらに前記対応関係編集部により前記対応関係が編集された場合にも当該対応関係を前記通信管理サーバに送信する、
請求項５又は６に記載の電子時計と電子機器間の通信制御システム。
【請求項１０】
互いに異なる複数の時計識別子を有し、
前記複数の時計識別子のうち一の時計識別子を選択する時計識別子選択部と、
選択された前記時計識別子を含むブロードキャストメッセージを送信する送信部と、
を有する、近距離無線通信におけるブロードキャスタ（アドバタイザ）として機能する電子時計。
【請求項１１】
固有の機器識別子を有し、
少なくとも一の時計識別子と、少なくとも自機の機器識別子との対応関係を記憶する対応関係記憶部と、
近距離無線通信におけるブロードキャスタ（アドバタイザ）として機能する電子時計からのブロードキャストメッセージを受信する受信部と、
前記ブロードキャストメッセージに含まれる前記一の時計識別子と前記自機の機器識別子が対応付けられている場合に対応と判定する対応判定部と、
前記対応判定部が対応と判定した場合に、前記電子時計との接続を確立する接続確立部と、
を有する、近距離無線通信におけるオブザーバ（スキャナ）として機能する電子機器。
【請求項１２】
電子機器を、
固有の機器識別子を有し、
少なくとも一の時計識別子と、少なくとも自機の機器識別子との対応関係を記憶する対応関係記憶部と、
近距離無線通信におけるブロードキャスタ（アドバタイザ）として機能する電子時計からのブロードキャストメッセージを受信する受信部と、
前記ブロードキャストメッセージに含まれる前記一の時計識別子と前記自機の機器識別子が対応付けられている場合に対応と判定する対応判定部と、
前記対応判定部が対応と判定した場合に、前記電子時計との接続を確立する接続確立部と、
を有する、近距離無線通信におけるオブザーバ（スキャナ）として機能させるための電子機器プログラム。
【請求項１３】
近距離無線通信におけるブロードキャスタ（アドバタイザ）として機能する電子時計を用いて、前記電子時計が有する複数の時計識別子の一を選択し、
選択された一の前記時計識別子を含むブロードキャストメッセージを送信し、
近距離無線通信におけるオブザーバ（スキャナ）として機能する電子機器を用いて、前記ブロードキャストメッセージを受信し、
前記ブロードキャストメッセージに含まれる前記時計識別子が自機に対応付けられている場合に対応と判定し、
対応と判定された場合に、前記電子機器との接続を確立する、
電子時計と電子機器間の通信制御方法。
【発明の詳細な説明】
【技術分野】
【０００１】
本発明は電子時計と電子機器間の通信制御システム、電子時計、電子機器、電子機器プログラム及び通信制御方法に関する。
【背景技術】
【０００２】
電子時計は、ＩＥＥＥ  ８０２．１５等の規格に基づいた近距離無線通信によりスマートフォン等の電子機器と通信して、電子機器が受信した電子メールの通知等を電子時計に表示する場合がある。
【０００３】
例えば、特許文献１には、着信に応答してデータを送信する外部通信機器と、データを受信して、光発生手段により着信があったことを報知させる報知制御装置と、を備える報知制御システムが記載されている。
【０００４】
また、特許文献２には、外部の電子機器と通信可能であり、電子機器にて入力すべき情報を指針により表示させる時計が記載されている。
【０００５】
また、特許文献３には、過去に接続を行った被制御装置の履歴情報保持し、履歴情報に基づいて、複数の被制御装置から接続対象の被制御装置を選択する制御装置が記載されている。
【先行技術文献】
【特許文献】
【０００６】
【特許文献１】特開２０１３−１７２２３５号公報
【特許文献２】特開２０１５−１８４１０１号公報
【特許文献３】特開２０１０−８１４２５号公報
【発明の概要】
【発明が解決しようとする課題】
【０００７】
電子時計は消費電力に対する要求が厳しく、ＢＬＥ（Ｂｌｕｅｔｏｏｔｈ  Ｌｏｗ  Ｅｎｅｒｇｙ、Ｂｌｕｅｔｏｏｔｈは登録商標）のような、低消費電力を実現できる近距離無線通信規格を使用することが望ましい。このような低消費電力を実現する近距離無線通信規格では、低消費電力機器側は、ブロードキャスタ（アドバタイザとも）として機能し、接続可能な機器を自らサーチすることなく、通信情報をアドバタイジングパケットとして不特定の機器に対しブロードキャストする。これに対し、受け側機器である電子機器は、オブザーバ（スキャナとも）として機能し、アドバタイジングパケットに含まれる低消費電力機器の接続ＩＤを読み取ることになる。この後、接続を確立する場合には、セントラルとなる電子機器からの接続要求をペリフェラルとなる低消費電力機器に送信する。
【０００８】
ここで、電子時計と情報通信を行う電子機器は常に単独であるとは限らず、必ずしも１対１には対応しない。例えば、電子機器にはスマートフォンやタブレット端末、ＰＣ等の種々の電子機器が含まれるが、ユーザが複数のスマートフォンやタブレット端末を用途や生活スタイルに応じて使い分けている場合、ある瞬間に電子時計との接続を希望する電子機器はその都度異なるケースがあり得る。
【０００９】
ここで、１のブロードキャスタである電子時計に対し、複数のオブザーバである電子機器が存在する場合、どの電子機器に接続されるかは電子時計からは指定されないため、所望の電子機器に接続することができなかったり、２重接続がなされて通信が不安定となったりすることが懸念される。
【００１０】
この点、特許文献３に記載の発明のように、これまでに接続を行っていない被制御装置を優先して接続対象とすることも考えられる。しかしながら、電子時計のユーザが望む接続対象は、その時々の用途や生活スタイルに応じて選択されるのであるから、履歴情報に基づいて接続する被制御装置を選択することによっては、２重接続等の問題は解消できるかもしれないが、ユーザが望む接続対象に接続することができないことに変わりはない。
【００１１】
本発明はかかる事情に鑑みてなされたものであり、その目的は、電子時計側で接続対象とする電子機器を選択できる電子時計と電子機器間の通信制御システム、電子時計、電子機器、電子機器プログラム及び通信制御方法を提供することである。
【課題を解決するための手段】
【００１２】
上記課題を解決すべく本出願において開示される発明は種々の側面を有しており、それら側面の代表的なものの概要は以下の通りである。
【００１３】
（１）互いに異なる複数の時計識別子を有し、前記複数の時計識別子のうち一の時計識別子を選択する時計識別子選択部と、選択された前記時計識別子を含むブロードキャストメッセージを送信する送信部と、を有する、近距離無線通信におけるブロードキャスタ（アドバタイザ）として機能する電子時計と、固有の機器識別子を有し、少なくとも一の前記時計識別子と、少なくとも自機の機器識別子との対応関係を記憶する対応関係記憶部と、前記ブロードキャストメッセージを受信する受信部と、前記ブロードキャストメッセージに含まれる前記一の時計識別子と前記自機の機器識別子が対応付けられている場合に対応と判定する対応判定部と、前記対応判定部が対応と判定した場合に、前記電子時計との接続を確立する接続確立部と、を有する、近距離無線通信におけるオブザーバ（スキャナ）として機能する少なくとも１つの電子機器と、を含む、電子時計と電子機器間の通信システム。
【００１４】
（２）（１）において、前記対応関係記憶部は、前記一の前記時計識別子と、前記自機の機器識別子との対応関係に加え、前記複数の時計識別子と、他機の機器識別子との対応関係を記憶する、電子時計と電子機器間の通信制御システム。
【００１５】
（３）（２）において、前記電子機器は、前記複数の時計識別子のいずれにも前記自機の機器識別子が対応付けられておらず、且つ前記ブロードキャストメッセージに含まれる前記一の時計識別子に機器識別子が対応付けられていない場合に非対応と判定する非対応判定部を有し、前記接続確立部は、さらに前記非対応判定部が非対応と判定した場合に、前記電子時計との接続を確立し、前記非対応判定部が非対応と判定した場合に接続が確立された場合に、前記一の時計識別子と前記自機の機器識別子とを対応づけて前記対応関係を更新し、前記対応関係記憶部に記憶する対応関係更新部と、を有する、電子時計と電子機器間の通信制御システム。
【００１６】
（４）（３）において、前記電子機器は、少なくとも前記対応関係更新部により前記対応関係が更新された場合に、当該対応関係を前記電子時計に送信する対応関係送信部を有し、前記電子時計は、前記対応関係を受信する時計側対応関係受信部と、前記対応関係を記憶する時計側対応関係記憶部と、を有し、前記送信部は、前記時計側対応関係記憶部に記憶された前記対応関係をさらに含むブロードキャストメッセージを送信し、前記電子機器の前記対応関係更新部は、さらに、前記ブロードキャストメッセージに含まれる前記対応関係により、前記対応関係記憶部に記憶された前記対応関係を更新する、電子時計と電子機器間の通信制御システム。
【００１７】
（５）（３）において、さらに通信管理サーバを含み、前記電子機器は、少なくとも前記対応関係更新部により前記対応関係が更新された場合に、当該対応関係を前記通信管理サーバに送信する対応関係送信部と、前記通信管理サーバから送信される対応関係を受信する対応関係受信部と、を有し、前記対応関係更新部は、さらに、前記対応関係受信部により受信した前記対応関係により、前記対応関係記憶部に記憶された前記対応関係を更新し、前記通信管理サーバは、前記電子機器から前記対応関係を受信するサーバ側対応関係受信部と、前記対応関係を記憶するサーバ側対応関係記憶部と、少なくとも、前記対応関係が更新された場合に、前記対応関係に含まれる電子機器に対し、更新後の前記対応関係を送信するサーバ側対応関係送信部と、を有する、電子時計と電子機器間の通信制御システム。
【００１８】
（６）（５）において、前記対応関係が更新された場合に、当該対応関係から削除された機器識別子を有する電子機器に対し、同機器が当該対応関係から削除されたことを示す削除通知を送信する削除通知送信部を有し、前記電子機器は、前記削除通知を受信する削除通知受信部と、前記削除通知を受信した場合に、前記対応関係記憶部に記憶された前記対応関係を削除する対応関係削除部と、を有する、電子時計と電子機器間の通信制御システム。
【００１９】
（７）（２）〜（６）のいずれかにおいて、前記電子機器は、前記複数の時計識別子と、それぞれの前記時計識別子に対応づけられた機器との対応関係を表示部に表示させる対応関係表示部を有する、電子時計と電子機器間の通信制御システム。
【００２０】
（８）（４）において、前記電子機器は、入力部からの入力に応じて、前記対応関係を編集する対応関係編集部をさらに有し、前記対応関係送信部は、さらに前記対応関係編集部により前記対応関係が編集された場合にも当該対応関係を前記電子時計に送信する、電子時計と電子機器間の通信制御システム。
【００２１】
（９）（５）又は（６）において、入力部からの入力に応じて、前記対応関係を編集する対応関係編集部をさらに有し、前記対応関係送信部は、さらに前記対応関係編集部により前記対応関係が編集された場合にも当該対応関係を前記通信管理サーバに送信する、電子時計と電子機器間の通信制御システム。
【００２２】
（１０）互いに異なる複数の時計識別子を有し、前記複数の時計識別子のうち一の時計識別子を選択する時計識別子選択部と、選択された前記時計識別子を含むブロードキャストメッセージを送信する送信部と、を有する、近距離無線通信におけるブロードキャスタ（アドバタイザ）として機能する電子時計。
【００２３】
（１１）固有の機器識別子を有し、少なくとも一の時計識別子と、少なくとも自機の機器識別子との対応関係を記憶する対応関係記憶部と、近距離無線通信におけるブロードキャスタ（アドバタイザ）として機能する電子時計からのブロードキャストメッセージを受信する受信部と、前記ブロードキャストメッセージに含まれる前記一の時計識別子と前記自機の機器識別子が対応付けられている場合に対応と判定する対応判定部と、前記対応判定部が対応と判定した場合に、前記電子時計との接続を確立する接続確立部と、を有する、近距離無線通信におけるオブザーバ（スキャナ）として機能する電子機器。
【００２４】
（１２）電子機器を、固有の機器識別子を有し、少なくとも一の時計識別子と、少なくとも自機の機器識別子との対応関係を記憶する対応関係記憶部と、近距離無線通信におけるブロードキャスタ（アドバタイザ）として機能する電子時計からのブロードキャストメッセージを受信する受信部と、前記ブロードキャストメッセージに含まれる前記一の時計識別子と前記自機の機器識別子が対応付けられている場合に対応と判定する対応判定部と、前記対応判定部が対応と判定した場合に、前記電子時計との接続を確立する接続確立部と、を有する、近距離無線通信におけるオブザーバ（スキャナ）として機能させるための電子機器プログラム。
【００２５】
（１３）近距離無線通信におけるブロードキャスタ（アドバタイザ）として機能する電子時計を用いて、前記電子時計が有する複数の時計識別子の一を選択し、選択された一の前記時計識別子を含むブロードキャストメッセージを送信し、近距離無線通信におけるオブザーバ（スキャナ）として機能する電子機器を用いて、前記ブロードキャストメッセージを受信し、前記ブロードキャストメッセージに含まれる前記時計識別子が自機に対応付けられている場合に対応と判定し、対応と判定された場合に、前記電子機器との接続を確立する、電子時計と電子機器間の通信方法。
【発明の効果】
【００２６】
上記本発明の（１）、（１０）、（１１）、（１２）及び（１３）の側面によれば、電子時計側で接続対象とする電子機器を選択できる電子時計と電子機器間の通信制御システム、電子時計、電子機器、電子機器プログラム及び通信制御方法が得られる。
【００２７】
また、上記本発明の（２）の側面によれば、電子時計との接続対象として他機が選択されている場合に、自機が接続対象となっていないことを明確に判定できる。
【００２８】
また、上記本発明の（３）の側面によれば、電子時計と電子機器の接続が新たに確立された場合に、電子時計側で当該電子機器を接続対象として選択できるようになる。
【００２９】
また、上記本発明の（４）の側面によれば、電子時計によって、複数の時計識別子と複数の機器識別子との対応関係を一括して管理できる。
【００３０】
また、上記本発明の（５）の側面によれば、電子時計と接続実績の無い電子機器であっても、電子時計からブロードキャストメッセージを受信した場合に、自機が接続対象とされているか否かを判定できる。
【００３１】
また、上記本発明の（６）の側面によれば、削除通知の送信対象である電子機器を電子時計との接続対象から除外することができる。
【００３２】
また、上記本発明の（７）の側面によれば、複数の時計識別子と電子機器との対応関係が容易に把握できる。
【００３３】
また、上記本発明の（８）の側面によれば、一の電子機器で行なわれた対応関係の編集が電子時計に記憶され、他の電子機器に最新の対応関係が同期される。
【００３４】
また、上記本発明の（９）の側面によれば、一の電子機器で行なわれた対応関係の編集が通信管理サーバに記憶され、接続実績の無い電子機器にも最新の対応関係が同期される。
【図面の簡単な説明】
【００３５】
【図１】本発明の第１の実施形態に係る電子時計の外観の一例を示す平面図である。
【図２】本発明の第１の実施形態に係る通信制御システムの機能ブロック図である。
【図３】本発明の第１の実施形態に係る通信制御システムに含まれる記憶部に記憶される対応関係の第１の例を示す図である。
【図４】本発明の第１の実施形態に係る通信制御システムにおける電子時計と第１携帯端末の接続のフローチャートである。
【図５】本発明の第１の実施形態に係る通信制御システムにおける新規接続のフローチャートである。
【図６】本発明の第１の実施形態に係る通信制御システムに含まれる記憶部に記憶される対応関係の第２の例を示す図である。
【図７】本発明の第２の実施形態に係る通信制御システムの機能ブロック図である。
【図８】本発明の第２の実施形態に係る通信制御システムに含まれる記憶部に記憶される対応関係の第１の例を示す図である。
【図９】本発明の第２の実施形態に係る通信制御システムにおける対応関係の同期処理を示す第１のフローチャートである。
【図１０】本発明の第２の実施形態に係る通信制御システムに含まれる記憶部に記憶される対応関係の第２の例を示す図である。
【図１１】本発明の第２の実施形態に係る通信制御システムにおける対応関係の同期処理を示す第２のフローチャートである。
【図１２】本発明の第２の実施形態に係る通信制御システムに含まれる記憶部に記憶される対応関係の第３の例を示す図である。
【図１３】本発明の第２の実施形態に係る第１携帯端末の表示部に表示される画面例である。
【図１４】本発明の第２の実施形態に係る通信制御システムにおける対応関係の削除処理のフローチャートである。
【図１５】本発明の第２の実施形態に係る通信制御システムに含まれる記憶部に記憶される対応関係の第４の例を示す図である。
【発明を実施するための形態】
【００３６】
以下、本発明の実施の形態について、図面を参照しながら説明する。
【００３７】
［第１の実施形態］
図１は、本発明の第１の実施形態に係る電子時計１の外観の一例を示す平面図である。本実施形態に係る電子時計１は、いわゆるアナログ腕時計の外観を有し、複数の電子機器である第１携帯端末３０、第２携帯端末３１及び第３携帯端末３２と近距離無線通信を行う。近距離無線通信を行うための通信回路やアンテナは、外装（時計ケース）である胴内に納められている。近距離無線通信の規格は特に限定されず、公知のいかなるものであってもよいが、本実施形態ではＢＬＥを用いる。そして、電子時計１は、近距離無線通信におけるブロードキャスタ（アドバタイザ）として機能する。電子時計１は、時刻針の時刻合わせや機能の使用に用いる竜頭２と、プッシュボタン４を有する。
【００３８】
電子時計１は、外装（時計ケース）である胴内に文字板１０を有する。文字板１０上には、電子時計１が第１携帯端末３０等との接続を確立する処理を行っていることを表す接続処理表示１１と、第１携帯端末３０等との接続が切断されたことを表すリンクロス表示１２と、第１携帯端末３０等に電子メールの受信があったことを通知する電子メール受信表示１３と、第１携帯端末３０等に電話の着信があったことを通知する電話着信表示１４とを有する。電子時計１は、接続処理表示１１、リンクロス表示１２、電子メール受信表示１３及び電話着信表示１４のいずれかを後述する秒針２２により指し示すことで、ユーザに対しそれぞれの情報を表示する。
【００３９】
電子時計１は、第１副針１５を有し、第１副針１５により現在時刻を２４時制で示す２４時間表示１５ａを有する。また、電子時計１は、第２副針１６を有し、第２副針１６により二次電池の充電残量を「０」〜「３」の４段階で示す充電残量表示１６ａと、第２副針１６により現在の曜日を「日」〜「土」で示す曜日表示１６ｂと、第２副針１６によりアラーム機能の設定を「ＯＮ」又は「ＯＦＦ」で示すアラーム設定表示１６ｃと、第２副針１６により第１携帯端末３０等との近距離無線通信による接続状態を「ＯＮ」又は「ＯＦＦ」で示す接続状態表示１６ｄと、を有する。また、電子時計１は、第３副針１７を有し、第３副針１７で「ＴＭＥ」を指すことにより現在時刻表示機能が設定されていることを示し、第３副針１７で「ＣＨＲ」を指すことによりクロノグラフ機能が設定されていることを示し、第３副針１７で「ＡＬＭ」を指すことによりアラーム機能の設定状態にあることを示し、第３副針１７で「Ｌ−ＴＭ」を指すことによりローカル時刻表示機能が設定されていることを示す、機能設定表示１７ａを有する。
【００４０】
電子時計１は、動力源により駆動される複数の時刻針を有する。具体的には、電子時計１は、時刻針として、ステッピングモータにより駆動される時針２０、分針２１及び秒針２２を有する。もっとも、電子時計１は、これら以外の指針を時刻針として有してもよい。また、時刻針は何らかの時刻を指し示すためのアナログ表示部材であり、代表的なものは指針であるが、特殊なものとして、回転円板や、レトログラードなども時刻針に含まれ得る。
【００４１】
電子時計１には、文字板１０を覆うようにガラス等の透明材料により形成された風防が胴に取り付けられている。また、風防の反対側においては裏蓋が胴に取り付けられている。本明細書では、以降、電子時計１の風防が配置される方向（図１における紙面手前方向）を表側、裏蓋が配置される方向（図１における紙面奥方向）を裏側と呼ぶ。
【００４２】
図１に示した電子時計１のデザインは一例である。ここで示したもの以外にも、例えば、胴を丸型でなく角型にしてもよいし、竜頭２やプッシュボタン４の有無、数、配置は任意である。また、本実施形態では、指針を時針２０、分針２１、秒針２２、第１副針１５、第２副針１６及び第３副針１７の計６本としているが、これに限定されず、各種の表示を行う指針を追加又は削除してもよい。
【００４３】
図２は、本発明の第１の実施形態に係る通信制御システム１００の機能ブロック図である。通信制御システム１００は、電子時計１と、第１携帯端末３０と、第２携帯端末３１と、第３携帯端末３２と、を含み、電子時計１と第１携帯端末３０、第２携帯端末３１及び第３携帯端末３２との通信の制御を行うシステムである。なお、本実施形態では、通信制御システム１００に含まれる複数の電子機器として、第１携帯端末３０、第２携帯端末３１及び第３携帯端末３２の３台の携帯端末を例示するが、通信制御システム１００に含まれる電子機器の台数は３台に限られず、任意の台数でよい。ただし、電子機器が１台のみの場合には、本実施形態の構成は必ずしも必要ではないため、本実施形態に係る通信制御システム１００は、電子機器が２台以上存在する場合に有用である。また、本明細書において、電子機器とは、電子時計１と近距離無線通信により情報通信を行うことができる機器を指しており、その携帯の有無は問題ではない。また、電子機器は通常、コンピュータとしての基本的な構成を有しているものと考えられるが、その外観や機能が必ずしも一般的なコンピュータ様のものである必要はない。一般的な携帯端末であるスマートフォンやタブレット端末、携帯電話や、通常のパーソナルコンピュータは電子機器足り得る。そして、電子機器は、近距離無線通信におけるオブザーバ（スキャナ）として機能する。以下では、第１携帯端末３０の機能ブロックについて説明し、第１携帯端末３０と同様の構成を有する第２携帯端末３１及び第３携帯端末３２の機能ブロックの説明は省略する。
【００４４】
第１携帯端末３０は、入力部５０と、表示部５１と、端末制御部５２と、対応関係記憶部５３ａと、端末通信部５４と、を有する。入力部５０は、第１携帯端末３０のユーザの操作を受け付けて、第１携帯端末３０の端末制御部５２に入力を行うものであり、例えばタッチパネルである。表示部５１は、ユーザに種々の情報を表示するものであり、例えば液晶表示装置である。
【００４５】
端末制御部５２は、ＣＰＵ（Ｃｅｎｔｒａｌ  Ｐｒｏｃｅｓｓｉｎｇ  Ｕｎｉｔ）を含み、第１携帯端末３０全体を制御する。端末制御部５２は、対応判定部５２ａと、非対応判定部５２ｂと、対応関係更新部５２ｃと、対応関係表示部５２ｄと、対応関係編集部５２ｅと、を含む。対応判定部５２ａは、電子時計１から送信されたブロードキャストメッセージに含まれる一の時計識別子と自機の機器識別子が対応付けられている場合に対応と判定する。ここで、時計識別子とは、互いに区別可能な符号であり、本実施形態では複数の異なる数である。また、機器識別子とは、電子機器に固有の識別子であり、本実施形態では複数の異なる文字列である。非対応判定部５２ｂは、複数の時計識別子のいずれにも自機の機器識別子が対応付けられておらず、且つブロードキャストメッセージに含まれる一の時計識別子に機器識別子が対応付けられていない場合に非対応と判定する。対応関係更新部５２ｃは、非対応判定部５２ｂが非対応と判定した場合に接続が確立された場合に、一の時計識別子と自機の機器識別子とを対応づけて対応関係を更新し、対応関係記憶部５３ａに記憶する。また、対応関係更新部５２ｃは、ブロードキャストメッセージに含まれる対応関係により、対応関係記憶部５３ａに記憶された対応関係を更新する。対応関係表示部５２ｄは、複数の時計識別子と、それぞれの時計識別子に対応づけられた機器との対応関係を表示部５１に表示させる。対応関係編集部５２ｅは、入力部５０からの入力に応じて、対応関係を編集する。
【００４６】
対応関係記憶部５３ａは、少なくとも一の時計識別子と、少なくとも自機の機器識別子との対応関係を記憶する。また、対応関係記憶部５３ａは、一の時計識別子と、自機の機器識別子との対応関係に加え、複数の時計識別子と、他機の機器識別子との対応関係を記憶する。具体的には、対応関係記憶部５３ａは、複数の時計識別子と第１携帯端末３０、第２携帯端末３１及び第３携帯端末３２それぞれの機器識別子との対応関係を記憶する。なお、第１携帯端末３０は対応関係記憶部５３ａを有し、第２携帯端末３１は対応関係記憶部５３ｂを有し、第３携帯端末３２は対応関係記憶部５３ｃを有する。
【００４７】
端末通信部５４は、受信部５４ａと、接続確立部５４ｂと、対応関係送信部５４ｃと、を含む。受信部５４ａは、電子時計１から送信されたブロードキャストメッセージを受信する。接続確立部５４ｂは、対応判定部５２ａが対応と判定した場合に、電子時計１との接続を確立する。また、接続確立部５４ｂは、さらに非対応判定部５２ｂが非対応と判定した場合に、電子時計１との接続を確立する。対応関係送信部５４ｃは、少なくとも対応関係更新部５２ｃにより対応関係が更新された場合に、当該対応関係を電子時計１に送信する。対応関係送信部５４ｃは、さらに対応関係編集部５２ｅにより対応関係が編集された場合にも当該対応関係を電子時計１に送信する。
【００４８】
電子時計１は、竜頭２及びプッシュボタン４と、時計識別子記憶部６０と、時計制御部６１と、時針２０、分針２１及び秒針２２と、時計通信部６２と、時計側対応関係記憶部６３と、を含む。時計識別子記憶部６０は、互いに異なる複数の時計識別子を記憶する。
【００４９】
時計制御部６１は、時計識別子表示部６１ａと、時計識別子選択部６１ｂと、を含む。時計識別子表示部６１ａは、時針２０、分針２１及び秒針２２の少なくともいずれかによって、時計識別子選択部６１ｂにより選択された一の時計識別子を表示する。時計識別子選択部６１ｂは、複数の時計識別子のうち一の時計識別子を選択する。
【００５０】
時計通信部６２は、送信部６２ａと、対応関係受信部６２ｂと、を含む。送信部６２ａは、選択された時計識別子を含むブロードキャストメッセージを送信する。また、送信部６２ａは、時計側対応関係記憶部６３に記憶された対応関係をさらに含むブロードキャストメッセージを送信する。対応関係受信部６２ｂは、電子機器から送信された対応関係を受信する。
【００５１】
時計側対応関係記憶部６３は、電子機器から送信された対応関係を記憶する。第１携帯端末３０の対応関係記憶部５３ａ、第２携帯端末３１の対応関係記憶部５３ｂ、第３携帯端末３２の対応関係記憶部５３ｃ及び時計側対応関係記憶部６３に記憶される情報の内容については、次図を用いて詳しく説明する。
【００５２】
図３は、本発明の実施形態に係る通信制御システム１００に含まれる記憶部に記憶される対応関係の第１の例を示す図である。本例で示す時計側対応関係記憶部６３には、第１時計識別子と第１携帯端末３０の機器識別子の対応関係が記憶されており、第２時計識別子及び第３時計識別子に対応する機器識別子は記憶されていない。また、第１携帯端末３０の対応関係記憶部５３ａには、第１時計識別子と第１携帯端末３０の機器識別子の対応関係が記憶されており、第２時計識別子及び第３時計識別子に対応する機器識別子は記憶されていない。第２携帯端末３１の対応関係記憶部５３ｂ及び第３携帯端末３２の対応関係記憶部５３ｃには、第１時計識別子、第２時計識別子及び第３時計識別子いずれについても対応する機器識別子が記憶されていない。通信制御システム１００の記憶部がこのような状態にある場合に、電子時計１と第１携帯端末３０との接続がどのように確立されるかについて、次図を用いて説明する。
【００５３】
図４は、本発明の実施形態に係る通信制御システム１００における電子時計１と第１携帯端末３０の接続のフローチャートである。同図に示すフローチャートは、通信制御システム１００に含まれる記憶部に記憶される対応関係が、図３に示す第１の例の場合に行なわれるものである。電子時計１の時計識別子選択部６１ｂは、ユーザによる竜頭２及びプッシュボタン４の操作に基づいて、時計識別子記憶部６０に記憶された複数の識別子（本実施形態の場合、第１時計識別子〜第３時計識別子）のうち一の時計識別子を選択する（Ｓ１）。ここでは、仮に第１時計識別子が選択されたものとする。送信部６２ａは、選択された第１時計識別子を含むブロードキャストメッセージを送信する（Ｓ２）。ここで、送信部６２ａによる送信は、送信先を限定しないブロードキャスト（アドバタイジング）により行う。
【００５４】
第１携帯端末３０、第２携帯端末３１及び第３携帯端末３２は、電子時計１により送信されたブロードキャストメッセージを受信する。ここでは、第１携帯端末３０の受信部５４ａによりブロードキャストメッセージが受信された場合に着目する（Ｓ３）。
【００５５】
第１携帯端末３０の対応判定部５２ａは、ブロードキャストメッセージに含まれる第１時計識別子が第１携帯端末３０の機器識別子に対応付けられているか判定する（Ｓ４）。本例の場合、第１携帯端末３０の対応関係記憶部５３ａには、第１時計識別子と第１携帯端末３０の機器識別子との対応関係が記憶されているから、対応判定部５２ａは、ブロードキャストメッセージに含まれる第１時計識別子と自機の機器識別子に対応付けられていると判定し（Ｓ４：Ｙ）、接続確立部５４ｂにより電子時計１に接続要求を送信する（Ｓ５）。電子時計１は、接続要求を受信して（Ｓ６）、第１携帯端末３０との接続を確立する（Ｓ７）。なお、ここでいう接続の確立とは、２つの通信機器間で、互いに通信相手を特定した状態で情報のやり取りを行うことを指している。本実施形態に係る通信制御システム１００のように、ＢＬＥを使用している場合、以降の通信を、第１携帯端末３０をセントラルとし、電子時計１をペリフェラルとして行う場合は接続が確立された場合に該当する。あるいは、第１携帯端末３０が電子時計１の第１時計識別子を指定して情報送信し、それに対して、電子時計１が引き続き第１時計識別子によるブロードキャストメッセージを用いて必要な通信情報を第１携帯端末３０に返信する場合もまた、ここでいう接続が確立された場合に相当する。
【００５６】
本実施形態に係る通信制御システム１００によれば、電子時計１に複数の時計識別子が記憶されることで、ある時計識別子とある電子機器との対応関係が確立された場合であっても、当該対応関係を維持したまま、他の時計識別子と他の電子機器との対応関係を確立することができる。例えば、本例の場合、電子時計１に第１時計識別子と第１携帯端末３０との対応関係が記憶されているが、第２時計識別子及び第３時計識別子と他の電子機器との対応関係を独立して記憶することができる。また、複数の電子機器がそれぞれ対応判定部５２ａを有することで、電子時計１側で選択された時計識別子に対応する電子機器のみが電子時計に対して接続要求を送信することとなり、その他の電子機器は時計識別子を受信したとしても電子時計に対して接続要求を送信しない。本例の場合、電子時計１で第１時計識別子が選択され、第１時計識別子が第２携帯端末３１及び第３携帯端末３２により受信された場合、第２携帯端末３１及び第３携帯端末３２は第１時計識別子が自機に対応するものでないと判定して、電子時計１に対して接続要求を送信しない。以上のように、本実施形態に係る通信制御システム１００によれば、ユーザは、電子時計１側で接続対象とする電子機器を選択できる。
【００５７】
本実施形態に係る通信制御システム１００によれば、電子機器の対応関係記憶部に自機の機器識別子に関する対応関係だけでなく、他機の機器識別子に関する対応関係が記憶されることで、電子時計１との接続対象として他機が選択されている場合に、自機が接続対象となっていないことを明確に判定できる。これにより、複数の電子機器が同一のブロードキャストメッセージを受信した場合であっても、接続対象とされた電子機器のみが接続を確立することができる。
【００５８】
図５は、本発明の第１の実施形態に係る通信制御システム１００における新規接続のフローチャートである。同図に示すフローチャートは、通信制御システム１００に含まれる記憶部に記憶される対応関係が、図３に示す第１の例の場合に行なわれるものである。電子時計１の時計識別子選択部６１ｂは、ユーザによる竜頭２及びプッシュボタン４の操作に基づいて、第２時計識別子を選択する（Ｓ８）。送信部６２ａは、選択された第２時計識別子を含むブロードキャストメッセージを送信する（Ｓ９）。ここで、ブロードキャストメッセージは、選択されていない第１時計識別子と第１携帯端末３０の機器識別子との対応関係を含んでよい。
【００５９】
第１携帯端末３０、第２携帯端末３１及び第３携帯端末３２は、電子時計１により送信されたブロードキャストメッセージを受信する。ここでは、第２携帯端末３１の受信部５４ａによりブロードキャストメッセージが受信された場合に着目する（Ｓ１０）。
【００６０】
第２携帯端末３１の非対応判定部５２ｂは、第１〜３時計識別子のいずれにも自機の機器識別子が対応付けられておらず、且つブロードキャストメッセージに含まれる第２時計識別子に機器識別子が対応付けられていないか判定する（Ｓ１１）。本例の場合、第２携帯端末３１の機器識別子は、いずれの時計識別子にも対応付けられておらず、且つ第２時計識別子はいずれの機器識別子にも対応付けられていない。よって、非対応判定部５２ｂは、非対応と判定する（Ｓ１１：Ｙ）。
【００６１】
第２携帯端末３１の接続確立部５４ｂは、非対応判定部５２ｂにより非対応と判定された場合、電子時計１との接続を確立すべく、接続要求を送信する（Ｓ１２）。電子時計１は、接続要求を受信して（Ｓ１３）、第２携帯端末３１との接続を確立する（Ｓ１４）。なお、この例で、先の第１携帯端末３０もまたブロードキャストメッセージを受信していたとしても、第１携帯端末３０の非対応判定部５２ｂは、第１時計識別子に既に自機の機器識別子が対応付けられていることから、非対応と判定しない（Ｓ１１：Ｎ）。そのため、第１携帯端末３０の接続確立部５４ｂは接続要求を行わず、かかるブロードキャストメッセージには特段の応答はしない。したがって、第１携帯端末３０と第２携帯端末３１による２重接続がなされることはない。
【００６２】
第２携帯端末３１の対応関係更新部５２ｃは、非対応判定部５２ｂが非対応と判定し、電子時計１との接続が確立された場合に、選択された第２時計識別子と自機の機器識別子とを対応づけて対応関係を更新し、対応関係記憶部５３ｂに記憶する（Ｓ１５）。そして、第２携帯端末３１の対応関係送信部５４ｃは、対応関係更新部５２ｃにより対応関係が更新された場合に、当該対応関係を電子時計１に送信する（Ｓ１６）。その後、図中「Ａ」で示す処理がなされてもよく、当該処理については後に詳細に説明する。
【００６３】
電子時計１は、対応関係受信部６２ｂにより更新された対応関係を第２携帯端末３１から受信し（Ｓ１７）、時計側対応関係記憶部６３に記憶された対応関係を更新する（Ｓ１８）。
【００６４】
図６は、本発明の実施形態に係る通信制御システム１００に含まれる記憶部に記憶される対応関係の第２の例を示す図である。本例で示す記憶部の状態は、図５のフローチャートで示す処理が行なわれた後の状態であり、電子時計１と第２携帯端末３１との接続が確立されており、電子時計１と第１携帯端末３０との接続及び電子時計１と第３携帯端末３２との接続は確立されていない状態である。同図に破線で示す両矢印は、電子時計１と第２携帯端末３１（対応関係記憶部５３ｂを有する電子機器）との接続を示している。
【００６５】
本例の時計側対応関係記憶部６３には、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。また、第１携帯端末３０の対応関係記憶部５３ａには、第１時計識別子と第１携帯端末３０の機器識別子の対応関係が記憶されており、第２時計識別子及び第３時計識別子に対応する機器識別子は記憶されていない。第２携帯端末３１の対応関係記憶部５３ｂには、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。第３携帯端末３２の対応関係記憶部５３ｃには、第１時計識別子、第２時計識別子及び第３時計識別子いずれについても対応する機器識別子が記憶されていない。
【００６６】
本実施形態に係る通信制御システム１００によれば、電子時計１と電子機器の接続が新たに確立された場合に、電子時計１側で当該電子機器を接続対象として選択できるようになる。例えば、本例の場合、電子時計１と第２携帯端末３１との接続が新たに確立されたことにより、時計側対応関係記憶部６３に第２時計識別子と第２携帯端末３１の機器識別子との対応関係が新たに記憶され、第２携帯端末３１との接続を選択できるようになる。
【００６７】
また、本実施形態に係る通信制御システム１００によれば、電子時計１によって、複数の時計識別子と複数の機器識別子との対応関係を一括して管理できる。例えば、本例の場合、電子時計１と第１携帯端末３０との接続が確立された後、電子時計１と第２携帯端末３１との接続が新たに確立されたことにより、時計側対応関係記憶部６３に第１時計識別子と第１携帯端末３０の機器識別子との対応関係に加えて、第２時計識別子と第２携帯端末３１の機器識別子との対応関係が新たに記憶された。このように、新規に接続が確立された場合、時計側対応関係記憶部６３には、最新の対応関係が記憶されこととなり、電子時計１によって、複数の時計識別子と複数の機器識別子との対応関係が一括管理される。
【００６８】
また、本実施形態に係る通信制御システム１００によれば、電子時計１によって、選択された識別子だけでなく、選択されていない１又は複数の識別子と複数の電子機器との対応関係をもブロードキャストメッセージに含めることで、接続対象としていない電子機器に対して、接続対象となっていないことを明確に通知できる。例えば、本例の場合、電子時計１は、選択された第２時計識別子をブロードキャストメッセージに含めるとともに、第１時計識別子と第１携帯端末３０の機器識別子との対応関係をもブロードキャストメッセージに含めることができる。第１携帯端末３０が当該ブロードキャストメッセージを受信した場合、選択された第２時計識別子が自機に対応するものでないと判定することに加えて、第１時計識別子と第１携帯端末３０の機器識別子との対応関係が送信されていることから、自機が接続対象とされていないことを明確に判定することができる。
【００６９】
また、本実施形態に係る通信制御システム１００によれば、複数の電子機器がそれぞれ対応関係を記憶することで、電子時計１で選択された識別子がいずれの電子機器に対応するものかが複数の電子機器それぞれで独立に判定され、自機以外のいずれの電子機器が接続対象となっているかが判定される。例えば、本例の場合、電子時計１は、選択された第２識別子をブロードキャストメッセージに含めるとともに、第１時計識別子と第１携帯端末３０の機器識別子との対応関係をもブロードキャストメッセージに含めて、第２携帯端末３１は、第２時計識別子と自機の機器識別子との対応関係の他、第１時計識別子と第１携帯端末３０の機器識別子との対応関係を記憶する。そのため、仮に電子時計１によって第１時計識別子が選択されてブロードキャストメッセージが送信され、第２携帯端末３１が当該メッセージを受信した場合であっても、第２携帯端末３１は第１時計識別子が第１携帯端末３０の機器識別子に対応するものであると判定し、電子時計１に対して接続要求を送信することはない。
【００７０】
［第２の実施形態］
図７は、本発明の第２の実施形態に係る通信制御システム１００の機能ブロック図である。本実施形態に係る通信制御システム１００は、電子時計１と、第１携帯端末３０と、第２携帯端末３１と、第３携帯端末３２と、通信管理サーバ４０と、を含み、電子時計１と第１携帯端末３０、第２携帯端末３１及び第３携帯端末３２との通信の制御を行うシステムである。本実施形態に係る通信制御システム１００は、通信管理サーバ４０を含む点で第１の実施形態に係る通信制御システム１００と相違する。また、本実施形態に係る第１携帯端末３０、第２携帯端末３１及び第３携帯端末３２の構成の一部は、第１の実施形態の場合と相違する。以下では、第１の実施形態の場合との相違点について詳しく説明し、第１の実施形態と共通する構成については説明を省略する。
【００７１】
第１携帯端末３０の端末制御部５２は、対応関係削除部５２ｆを含む。対応関係削除部５２ｆは、通信管理サーバ４０から送信された削除通知を受信した場合に、対応関係記憶部５３ａに記憶された対応関係を削除する。
【００７２】
第１携帯端末３０の端末通信部５４は、削除通知受信部５４ｅを含む。削除通知受信部５４ｅは、通信管理サーバ４０から送信された削除通知を受信する。また、対応関係送信部５４ｃは、少なくとも対応関係更新部５２ｃにより対応関係が更新された場合に、当該対応関係を通信管理サーバ４０に送信する。また、対応関係受信部５４ｄは、通信管理サーバ４０から送信される対応関係を受信する。また、対応関係更新部５２ｃは、さらに、対応関係受信部５４ｄにより受信した対応関係により、対応関係記憶部５３ａに記憶された対応関係を更新する。
【００７３】
本実施形態に係る電子時計１は、図１に示す外観を有し、第１の実施形態の場合と同様の構成を有する。
【００７４】
通信管理サーバ４０は、サーバ側対応関係受信部４１と、サーバ側対応関係送信部４２と、削除通知送信部４３と、サーバ側対応関係記憶部４４と、を有する。サーバ側対応関係受信部４１は、電子機器から対応関係を受信する。サーバ側対応関係送信部４２は、少なくとも、対応関係が更新された場合に、対応関係に含まれる電子機器に対し、更新後の対応関係を送信する。削除通知送信部４３は、対応関係が更新された場合に、当該対応関係から削除された機器識別子を有する電子機器に対し、同機器が当該対応関係から削除されたことを示す削除通知を送信する。サーバ側対応関係記憶部４４は、対応関係を記憶する。
【００７５】
図８は、本発明の第２の実施形態に係る通信制御システム１００に含まれる記憶部に記憶される対応関係の第１の例を示す図である。本例で示す記憶部の状態は、電子時計１及び第２携帯端末３１について図５のフローチャートで示す新規接続処理が行なわれた後の状態であり、電子時計１と第２携帯端末３１との接続が確立されており、電子時計１と第２携帯端末３１との接続及び電子時計１と第３携帯端末３２との接続は確立されていない状態である。同図に破線で示す両矢印は、電子時計１と第２携帯端末３１（対応関係記憶部５３ｂを有する電子機器）との接続を示している。
【００７６】
本例の時計側対応関係記憶部６３には、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。また、第１携帯端末３０の対応関係記憶部５３ａには、第１時計識別子と第１携帯端末３０の機器識別子の対応関係が記憶されており、第２時計識別子及び第３時計識別子に対応する機器識別子は記憶されていない。第２携帯端末３１の対応関係記憶部５３ｂには、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。第３携帯端末３２の対応関係記憶部５３ｃには、第１時計識別子、第２時計識別子及び第３時計識別子いずれについても対応する機器識別子が記憶されていない。また、通信管理サーバ４０のサーバ側対応関係記憶部４４には、第１時計識別子、第２時計識別子及び第３時計識別子いずれについても対応する機器識別子が記憶されていない。
【００７７】
図９は、本発明の第２の実施形態に係る通信制御システム１００における対応関係の同期処理を示す第１のフローチャートである。本フローチャートで示される処理は、図５に示すフローチャートの「Ａ」以降に行なわれる処理である。ただし、本フローチャートで示される処理は、独立に行なわれてもよい。
【００７８】
第２携帯端末３１の対応関係送信部５４ｃは、少なくとも対応関係更新部５２ｃにより対応関係が更新された場合に、当該対応関係を通信管理サーバ４０に送信する（Ｓ１９）。本例の場合、対応関係更新部５２ｃにより第２時計識別子と第２携帯端末３１の機器識別子との対応関係が新たに加えられたため、対応関係送信部５４ｃは、当該対応関係を通信管理サーバ４０に送信する。
【００７９】
通信管理サーバ４０のサーバ側対応関係受信部４１は、第２携帯端末３１から送信された対応関係を受信する（Ｓ２０）。また、通信管理サーバ４０のサーバ側対応関係記憶部４４は、受信した対応関係送を記憶する（Ｓ２１）。
【００８０】
図１０は、本発明の第２の実施形態に係る通信制御システム１００に含まれる記憶部に記憶される対応関係の第２の例を示す図である。本例で示す記憶部の状態は、図９のフローチャートで示す同期処理が行なわれた後の状態である。同図に破線で示す片矢印は、第２携帯端末３１から通信管理サーバ４０に対応関係が送信されたことを示している。なお、本例において、電子時計１と第２携帯端末３１との接続が確立されており、電子時計１と第２携帯端末３１との接続及び電子時計１と第３携帯端末３２との接続は確立されていない。また、同図に破線で示す両矢印は、電子時計１と第２携帯端末３１（対応関係記憶部５３ｂを有する電子機器）との接続を示している。
【００８１】
本例の時計側対応関係記憶部６３には、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。また、第１携帯端末３０の対応関係記憶部５３ａには、第１時計識別子と第１携帯端末３０の機器識別子の対応関係が記憶されており、第２時計識別子及び第３時計識別子に対応する機器識別子は記憶されていない。第２携帯端末３１の対応関係記憶部５３ｂには、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。第３携帯端末３２の対応関係記憶部５３ｃには、第１時計識別子、第２時計識別子及び第３時計識別子いずれについても対応する機器識別子が記憶されていない。また、通信管理サーバ４０のサーバ側対応関係記憶部４４には、第１時計識別子、第２時計識別子及び第３時計識別子いずれについても対応する機器識別子が記憶されていない。
【００８２】
図１１は、本発明の第２の実施形態に係る通信制御システムにおける対応関係の同期処理を示す第２のフローチャートである。同図で示す処理は、通信制御システム１００に含まれる記憶部に記憶された対応関係が、図１０で示す第２の例である場合に行なわれる処理である。
【００８３】
通信管理サーバ４０のサーバ側対応関係記憶部４４には、第１時計識別子と第１携帯端末３０の機器識別子との対応関係及び第２時計識別子と第２携帯端末３１の機器識別子との対応関係が記憶されており、サーバ側対応関係送信部４２は、当該対応関係を第１携帯端末３０に送信する（Ｓ３０）。同様に、サーバ側対応関係送信部４２は、対応関係を第２携帯端末３１に送信し（Ｓ３１）、対応関係を第３携帯端末３２に送信する（Ｓ３２）。第１携帯端末３０は、通信管理サーバ４０から対応関係を受信して（Ｓ３３）、対応関係記憶部５３ａに記憶された対応関係を更新する（Ｓ３４）。同様に、第２携帯端末３１は、通信管理サーバ４０から対応関係を受信して（Ｓ３５）、対応関係記憶部５３ｂに記憶された対応関係を更新する（Ｓ３６）。また、第３携帯端末３２は、通信管理サーバ４０から対応関係を受信して（Ｓ３７）、対応関係記憶部５３ｃに記憶された対応関係を更新する（Ｓ３８）。このような処理が行なわれた後の各記憶部の内容を図１２に示す。なお、通信管理サーバ４０のサーバ側対応関係送信部４２は、少なくとも、対応関係が更新された場合に、対応関係に含まれる電子機器に対し、更新後の前記対応関係を送信するが、対応関係が更新されていない場合であっても、最新の対応関係を電子機器に対し送信してもよい。サーバ側対応関係送信部４２は、例えば、定期的に対応関係を電子機器に対し送信してもよい。また、サーバ側対応関係送信部４２は、対応関係に含まれない電子機器に対し、最新の対応関係を送信してもよい。
【００８４】
図１２は、本発明の第２の実施形態に係る通信制御システム１００に含まれる記憶部に記憶される対応関係の第３の例を示す図である。本例で示す記憶部の状態は、図１１のフローチャートで示す同期処理が行なわれた後の状態である。同図に破線で示す３つの片矢印は、通信管理サーバ４０から第１携帯端末３０、第２携帯端末３１及び第３携帯端末３２それぞれへ対応関係が送信されたことを示している。なお、本例において、電子時計１と第２携帯端末３１との接続が確立されており、電子時計１と第１携帯端末３０との接続及び電子時計１と第３携帯端末３２との接続は確立されていない。また、同図に破線で示す両矢印は、電子時計１と第２携帯端末３１（対応関係記憶部５３ｂを有する電子機器）との接続を示している。
【００８５】
本例の時計側対応関係記憶部６３には、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。また、第１携帯端末３０の対応関係記憶部５３ａには、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。第２携帯端末３１の対応関係記憶部５３ｂには、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。第３携帯端末３２の対応関係記憶部５３ｃには、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。また、通信管理サーバ４０のサーバ側対応関係記憶部４４には、第１時計識別子と第１携帯端末３０の機器識別子の対応関係が記憶されており、第２時計識別子と第２携帯端末３１の機器識別子の対応関係が記憶されており、第３時計識別子に対応する機器識別子は記憶されていない。
【００８６】
本実施形態に係る通信制御システム１００によれば、通信管理サーバ４０が複数の電子機器から対応関係を受信し、対応関係を記憶し、複数の電子機器に対応関係を送信することで、複数の電子機器に記憶される対応関係を同期することができる。これにより、電子時計と接続実績の無い電子機器であっても、電子時計からブロードキャストメッセージを受信した場合に、自機が接続対象とされているか否かを判定できる。
【００８７】
図１３は、本発明の実施形態に係る第１携帯端末３０の表示部５１に表示される画面例である。同図に示す画面例は、対応関係５１ａと、削除ボタン５１ｂと、選択ガイドライン５１ｃと、を含む。第１携帯端末３０は、対応関係表示部５２ｄにより、複数の識別子ごとに対応関係５１ａを表示部５１に表示させる。表示部５１に表示された対応関係５１ａは、対応関係記憶部５３ａに記憶された対応関係の内容を表しており、第１時計識別子について対応する機器識別子が第１携帯端末３０と表示され、第２時計識別子について対応する機器識別子が第２携帯端末３１と表示され、第３時計識別子について対応する機器識別子が表示されていない。機器識別子の表示欄には、それぞれ削除ボタン５１ｂが表示されている。
【００８８】
第１携帯端末３０の対応関係編集部５２ｅは、入力部５０からの入力に応じて、対応関係記憶部５３ａに記憶された対応関係を編集する。ユーザは、タッチパネル等の入力部５０を用いて、例えば第３時計識別子に対応する機器識別子として第３携帯端末３２を設定することができる。また、対応関係削除部５２ｆは、選択された対応関係を対応関係記憶部５３ａから削除する。対応関係の選択は、削除ボタン５１ｂの押下により行なわれてよく、図１３では、第２時計識別子の削除ボタン５１ｂが押下された場合を示している。削除ボタン５１ｂが押下されて、第２時計識別子に対応する機器識別子が第２携帯端末３１であるという対応関係が対応関係記憶部５３ａから削除された場合の処理については、図１４及び図１５を用いて詳細に説明する。
【００８９】
図１３に示す画面例には、複数の時計識別子の選択ガイドライン５１ｃが含まれる。電子時計１のユーザは、複数の時計識別子のうち一の時計識別子を竜頭２及びプッシュボタン４を用いて選択するが、その際、時計識別子表示部６１ａは、秒針２２により、一時方向、二時方向及び三時方向のいずれかを指し、選択中の時計識別子を目視できるようにする。選択ガイドライン５１ｃは、一時方向が第１時計識別子の選択に対応し、二時方向が第２時計識別子の選択に対応し、三時方向が第３時計識別子の選択に対応することを表している。もっとも、時計識別子表示部６１ａは、分針２１や第１副針１５等、秒針２２以外の指針により選択中の識別子を表示してもよいし、指針の指示方向と複数の識別子の対応はここに示したもの以外であってもよい。
【００９０】
図１４は、本発明の第２の実施形態に係る通信制御システム１００における対応関係の削除処理のフローチャートである。同図で示す処理は、通信制御システム１００に含まれる記憶部に記憶された対応関係が、図１２で示す第３の例である場合に行なわれる処理であり、第１携帯端末３０の表示部５１に表示された削除ボタン５１ｂが押下されて、第２時計識別子に関する対応関係の削除が指示された場合に行なわれる処理である。
【００９１】
第１携帯端末３０の対応関係削除部５２ｆは、選択された対応関係を対応関係記憶部５３ａから削除する（Ｓ４０）。ここで、選択された対応関係とは、削除ボタン５１ｂの押下により選択された第２時計識別子に関する対応関係である。
【００９２】
第１携帯端末３０は、対応関係記憶部５３ａに記憶された対応関係を電子時計１に送信する（Ｓ４１）。ここで、送信される対応関係は、第１時計識別子に対応する機器識別子が第１携帯端末３０であること、第２時計識別子及び第３時計識別子に対応する機器識別子は設定されていないこと、である。
【００９３】
電子時計１は、第１携帯端末３０から対応関係を受信し（Ｓ４２）、時計側対応関係記憶部６３に対応関係を更新する（Ｓ４３）。また、第１携帯端末３０は、対応関係記憶部５３ａに記憶された対応関係を通信管理サーバ４０に送信する（Ｓ４４）。ここで送信される対応関係は、第１時計識別子に対応する機器識別子が第１携帯端末３０であること、第２時計識別子及び第３時計識別子に対応する機器識別子は設定されていないこと、である。
【００９４】
通信管理サーバ４０は、第１携帯端末３０から対応関係を受信し（Ｓ４５）、受信した対応関係に基づいてサーバ側対応関係記憶部４４に記憶された対応関係を更新する（Ｓ４６）。具体的には、通信管理サーバ４０は、第１携帯端末３０により削除対象として選択された第２時計識別子に関する対応関係をサーバ側対応関係記憶部４４から削除する。
【００９５】
通信管理サーバ４０の削除通知送信部４３は、対応関係が更新された場合に、当該対応関係から削除された機器識別子を有する電子機器に対し、同機器が当該対応関係から削除されたことを示す削除通知を送信する（Ｓ４７）。ここで、対応関係から削除された機器識別子を有する電子機器とは、削除ボタン５１ｂの押下により選択された第２時計識別子に対応する第２携帯端末３１である。
【００９６】
第２携帯端末３１は、通信管理サーバ４０から削除通知を受信する（Ｓ４８）。第２携帯端末３１の対応関係削除部５２ｆは、削除通知に基づいて、対応関係記憶部５３ｂに記憶された全ての対応関係を削除する（Ｓ４９）。具体的には、第２携帯端末３１は、対応関係記憶部５３ｂに記憶された全ての対応関係を削除し、第１時計識別子〜第３時計識別子に対応する機器識別子が記憶されていない状態とする。なお、本例の削除通知は、第２時計識別子に対応付けられた機器識別子の削除を通知するものだが、対応関係削除部５２ｆは、自機の機器識別子が含まれない対応関係を受信した場合に、当該対応関係を削除通知と判断して、対応関係を削除することとしてもよい。
【００９７】
また、通信管理サーバ４０は、サーバ側対応関係記憶部４４に記憶された対応関係を、第３携帯端末３２に送信する（Ｓ５０）。第３携帯端末３２は、対応関係を通信管理サーバ４０から受信して（Ｓ５１）、対応関係記憶部５３ｃに記憶された対応関係を更新する（Ｓ５２）。具体的には、第３携帯端末３２は、第２時計識別子に対応する機器識別子を削除する。
【００９８】
図１５は、本発明の実施形態に係る通信制御システム１００に含まれる記憶部に記憶される対応関係の第４の例を示す図である。本例で示す記憶部の状態は、図１４のフローチャートで示す削除処理が行なわれた後の状態である。同図に破線で示す４つの片矢印は、第１携帯端末３０から電子時計１へ対応関係が送信されたことと、第１携帯端末３０から通信管理サーバ４０へ対応関係が送信されたことと、通信管理サーバ４０から第２携帯端末３１へ削除通知が送信されたことと、通信管理サーバ４０から第３携帯端末３２へ対応関係が送信されたことと、を示している。
【００９９】
本例の時計側対応関係記憶部６３には、第１時計識別子と第１携帯端末３０の機器識別子の対応関係が記憶されており、第２時計識別子及び第３時計識別子に対応する機器識別子は記憶されていない。また、第１携帯端末３０の対応関係記憶部５３ａには、第１時計識別子と第１携帯端末３０の機器識別子の対応関係が記憶されており、第２時計識別子及び第３時計識別子に対応する機器識別子は記憶されていない。第２携帯端末３１の対応関係記憶部５３ｂには、第１時計識別子、第２時計識別子及び第３時計識別子のいずれにも対応する機器識別子が記憶されていない。第３携帯端末３２の対応関係記憶部５３ｃには、第１時計識別子と第１携帯端末３０の機器識別子の対応関係が記憶されており、第２時計識別子及び第３時計識別子に対応する機器識別子は記憶されていない。また、通信管理サーバ４０のサーバ側対応関係記憶部４４には、第１時計識別子と第１携帯端末３０の機器識別子の対応関係が記憶されており、第２時計識別子及び第３時計識別子に対応する機器識別子は記憶されていない。
【０１００】
本実施形態に係る通信制御システム１００によれば、複数の電子機器がそれぞれ対応関係編集部５２ｅを有し、通信管理サーバ４０がサーバ側対応関係記憶部４４を有することにより、一の電子機器で行なわれた対応関係の編集が通信管理サーバ４０に記憶され、通信管理サーバ４０から他の電子機器に同期される。図１４に示す例の場合、ユーザは、第１携帯端末３０の対応関係記憶部５３ａに記憶された第２時計識別子に関する対応関係を削除することで、通信管理サーバ４０のサーバ側対応関係記憶部４４に記憶された対応関係を更新することができる。そのため、通信管理サーバ４０を介して、第２携帯端末３１の対応関係記憶部５３ｂ及び第３携帯端末３２の対応関係記憶部５３ｃの内容を第１携帯端末３０と同期させることができる。このように、ユーザは、一の電子機器に記憶された対応関係を編集することで、他の電子機器に記憶された対応関係をも併せて編集できる。
【０１０１】
また、本実施形態に係る通信制御システム１００によれば、通信管理サーバ４０が削除通知送信部４３を有することにより、削除通知の送信対象である電子機器を電子時計との接続対象から除外することができる。図１４に示す例の場合、ユーザは、第１携帯端末３０の対応関係記憶部５３ａに記憶された第２時計識別子に関する対応関係を削除することで、通信管理サーバ４０を介して、第２携帯端末３１の対応関係記憶部５３ｂに記憶された全ての対応関係を削除できる。ユーザは、第２携帯端末３１を電子時計１との接続対象から除外したい場合に、第２携帯端末３１を直接操作する必要がなく、複数の電子機器いずれからでも接続対象の除外が可能となる。
【０１０２】
以上、本発明に係る実施形態について説明したが、この実施形態に示した具体的な構成は一例として示したものであり、本発明の技術的範囲をこれに限定することは意図されていない。例えば、上述の実施形態で使用する機器として、電子時計を対象として説明したが、本発明は電子時計に限定されることなく、より一般的な電子時計に適用されてもよい。また、電子時計と通信する機器は携帯機器に限定されず、一般的な電子機器、例えば据え置き型の電子機器であってもよい。当業者は、これら開示された実施形態を適宜変形してもよく、本明細書にて開示される発明の技術的範囲は、そのようになされた変形をも含むものと理解すべきである。
【符号の説明】
【０１０３】
１  電子時計、２  竜頭、４  プッシュボタン、１０  文字板、１１  接続処理表示、１２  リンクロス表示、１３  電子メール受信表示、１４  電話着信表示、１５  第１副針、１５ａ  ２４時間表示、１６  第２副針、１６ａ  充電残量表示、１６ｂ  曜日表示、１６ｃ  アラーム設定表示、１６ｄ  接続状態表示、１７  第３副針、１７ａ  機能設定表示、２０  時針、２１  分針、２２  秒針、３０  第１携帯端末、３１  第２携帯端末、３２  第３携帯端末、４０  通信管理サーバ、４１  サーバ側対応関係受信部、４２
サーバ側対応関係送信部、４３  削除通知送信部、４４  サーバ側対応関係記憶部、５０  入力部、５１  表示部、５１ａ  対応関係、５１ｂ  削除ボタン、５１ｃ  選択ガイドライン、５２  端末制御部、５２ａ  対応判定部、５２ｂ  非対応判定部、５２ｃ  対応関係更新部、５２ｄ  対応関係表示部、５２ｅ  対応関係編集部、５２ｆ  対応関係削除部、５３ａ，５３ｂ，５３ｃ  対応関係記憶部、５４  端末通信部、５４ａ  受信部、５４ｂ  接続確立部、５４ｃ  対応関係送信部、５４ｄ  対応関係受信部、５４ｅ  削除通知受信部、６０  時計識別子記憶部、６１  時計制御部、６１ａ  時計識別子選択部、６１ｂ  時計識別子表示部、６２  時計通信部、６２ａ  送信部、６２ｂ  対応関係受信部、６３  時計側対応関係記憶部、１００  通信制御システム。
【図１】
2020148781.tif 000003
【図２】
2020148781.tif 000004
【図３】
2020148781.tif 000005
【図４】
2020148781.tif 000006
【図５】
2020148781.tif 000007
【図６】
2020148781.tif 000008
【図７】
2020148781.tif 000009
【図８】
2020148781.tif 000010
【図９】
2020148781.tif 000011
【図１０】
2020148781.tif 000012
【図１１】
2020148781.tif 000013
【図１２】
2020148781.tif 000014
【図１３】
2020148781.tif 000015
【図１４】
2020148781.tif 000016
【図１５】
2020148781.tif 000017
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
互いに異なる複数の時計識別子を有し、前記複数の時計識別子のうちの一の時計識別子を選択する時計識別子選択部を有する電子時計と、
固有の機器識別子を有し、前記一の時計識別子と自機の前記機器識別子との対応関係に加え、前記複数の時計識別子と他機の機器識別子との対応関係を記憶する対応関係記憶部を有する、電子機器と、
を含む、電子時計と電子機器間の通信制御システム。
【請求項２】
前記電子機器は、
前記複数の時計識別子のいずれにも前記自機の機器識別子が対応付けられていない場合に、前記電子時計との接続を確立し、
前記一の時計識別子と前記自機の機器識別子とを対応づけて前記対応関係を更新し、前記対応関係記憶部に記憶する対応関係更新部と、を有する、
請求項１に記載の電子時計と電子機器間の通信制御システム。
【請求項３】
前記電子機器は、
少なくとも前記対応関係更新部により前記対応関係が更新された場合に、当該対応関係を前記電子時計に送信する対応関係送信部を有し、
前記電子時計は、
前記対応関係送信部から送信された前記対応関係を受信する時計側対応関係受信部と、
前記対応関係送信部から送信された前記対応関係を記憶する時計側対応関係記憶部と、を有し、
前記電子機器の前記対応関係更新部は、前記電子時計から送信された前記時計側対応関係記憶部に記憶された前記対応関係により、前記対応関係記憶部に記憶された前記対応関係を更新する、
請求項２に記載の電子時計と電子機器間の通信制御システム。
【請求項４】
さらに通信管理サーバを含み、
前記電子機器は、
少なくとも前記対応関係更新部により前記対応関係が更新された場合に、当該対応関係を前記通信管理サーバに送信する対応関係送信部と、
前記通信管理サーバから送信される対応関係を受信する対応関係受信部と、を有し、
前記対応関係更新部は、さらに、前記対応関係受信部により受信した前記対応関係により、前記対応関係記憶部に記憶された前記対応関係を更新し、前記通信管理サーバは、
前記電子機器から前記対応関係を受信するサーバ側対応関係受信部と、
前記対応関係を記憶するサーバ側対応関係記憶部と、
少なくとも、前記対応関係が更新された場合に、前記対応関係に含まれる電子機器に対し、更新後の前記対応関係を送信するサーバ側対応関係送信部と、
を有する、
請求項３に記載の電子時計と電子機器間の通信制御システム。
【請求項５】
前記通信管理サーバは、
前記対応関係が更新された場合に、当該対応関係から削除された機器識別子を有する電子機器に対し、同機器が当該対応関係から削除されたことを示す削除通知を送信する削除通知送信部を有し、前記電子機器は、
前記削除通知を受信する削除通知受信部と、
前記削除通知を受信した場合に、前記対応関係記憶部に記憶された前記対応関係を削除する対応関係削除部と、を有する、
請求項４に記載の電子時計と電子機器間の通信制御システム。
【請求項６】
前記電子機器は、
入力部からの入力に応じて、前記対応関係を編集する対応関係編集部をさらに有し、
前記対応関係送信部は、さらに前記対応関係編集部により前記対応関係が編集された場合にも当該対応関係を前記通信管理サーバに送信する、
請求項４又は５に記載の電子時計と電子機器間の通信制御システム。
【請求項７】
前記電子機器は、
入力部からの入力に応じて、前記対応関係を編集する対応関係編集部をさらに有し、
前記対応関係送信部は、さらに前記対応関係編集部により前記対応関係が編集された場合にも当該対応関係を前記電子時計に送信する、
請求項３〜６のいずれか１項に記載の電子時計と電子機器間の通信制御システム。
【請求項８】
前記電子機器は、前記複数の時計識別子と、それぞれの前記時計識別子に対応づけられた機器との対応関係を表示部に表示させる対応関係表示部を有する、
請求項１〜７のいずれか１項に記載の電子時計と電子機器間の通信制御システム。
【請求項９】
互いに異なる複数の時計識別子を有し、前記複数の時計識別子のうちの一の時計識別子を選択する時計識別子選択部と、
選択された前記一の時計識別子と電子機器の機器識別子との対応関係に加え、他の前記時計識別子と他の電子機器の機器識別子との対応関係を記憶する時計側対応関係記憶部と、
を有する電子時計。
【手続補正３】
【補正対象書類名】明細書
【補正対象項目名】０００１
【補正方法】変更
【補正の内容】
【０００１】
本発明は電子時計と電子機器間の通信制御システム、及び電子時計に関する。
【手続補正４】
【補正対象書類名】明細書
【補正対象項目名】００１１
【補正方法】変更
【補正の内容】
【００１１】
本発明はかかる事情に鑑みてなされたものであり、その目的は、電子時計側で接続対象とする電子機器を選択できる電子時計と電子機器間の通信制御システム、電子時計を提供することである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（１）互いに異なる複数の時計識別子を有し、前記複数の時計識別子のうちの一の時計識別子を選択する時計識別子選択部を有する電子時計と、固有の機器識別子を有し、前記一の時計識別子と自機の前記機器識別子との対応関係に加え、前記複数の時計識別子と他機の機器識別子との対応関係を記憶する対応関係記憶部を有する、電子機器と、を含む、電子時計と電子機器間の通信制御システム。
【手続補正７】
【補正対象書類名】明細書
【補正対象項目名】００１５
【補正方法】変更
【補正の内容】
【００１５】
（２）（１）において、前記電子機器は、前記複数の時計識別子のいずれにも前記自機の機器識別子が対応付けられていない場合に、前記電子時計との接続を確立し、前記一の時計識別子と前記自機の機器識別子とを対応づけて前記対応関係を更新し、前記対応関係記憶部に記憶する対応関係更新部と、を有する、電子時計と電子機器間の通信制御システム。
【手続補正８】
【補正対象書類名】明細書
【補正対象項目名】００１６
【補正方法】変更
【補正の内容】
【００１６】
（３）（２）において、前記電子機器は、少なくとも前記対応関係更新部により前記対応関係が更新された場合に、当該対応関係を前記電子時計に送信する対応関係送信部を有し、前記電子時計は、前記対応関係送信部から送信された前記対応関係を受信する時計側対応関係受信部と、前記対応関係送信部から送信された前記対応関係を記憶する時計側対応関係記憶部と、を有し、前記電子機器の前記対応関係更新部は、前記電子時計から送信された前記時計側対応関係記憶部に記憶された前記対応関係により、前記対応関係記憶部に記憶された前記対応関係を更新する、電子時計と電子機器間の通信制御システム。
【手続補正９】
【補正対象書類名】明細書
【補正対象項目名】００１７
【補正方法】変更
【補正の内容】
【００１７】
（４）（３）において、さらに通信管理サーバを含み、前記電子機器は、少なくとも前記対応関係更新部により前記対応関係が更新された場合に、当該対応関係を前記通信管理サーバに送信する対応関係送信部と、前記通信管理サーバから送信される対応関係を受信する対応関係受信部と、を有し、前記対応関係更新部は、さらに、前記対応関係受信部により受信した前記対応関係により、前記対応関係記憶部に記憶された前記対応関係を更新し、前記通信管理サーバは、前記電子機器から前記対応関係を受信するサーバ側対応関係受信部と、前記対応関係を記憶するサーバ側対応関係記憶部と、少なくとも、前記対応関係が更新された場合に、前記対応関係に含まれる電子機器に対し、更新後の前記対応関係を送信するサーバ側対応関係送信部と、を有する、電子時計と電子機器間の通信制御システム。
【手続補正１０】
【補正対象書類名】明細書
【補正対象項目名】００１８
【補正方法】変更
【補正の内容】
【００１８】
（５）（４）において、前記対応関係が更新された場合に、当該対応関係から削除された機器識別子を有する電子機器に対し、同機器が当該対応関係から削除されたことを示す削除通知を送信する削除通知送信部を有し、前記電子機器は、前記削除通知を受信する削除通知受信部と、前記削除通知を受信した場合に、前記対応関係記憶部に記憶された前記対応関係を削除する対応関係削除部と、を有する、電子時計と電子機器間の通信制御システム。
【手続補正１１】
【補正対象書類名】明細書
【補正対象項目名】００１９
【補正方法】変更
【補正の内容】
【００１９】
（６）（４）又は（５）において、前記電子機器は、入力部からの入力に応じて、前記対応関係を編集する対応関係編集部をさらに有し、前記対応関係送信部は、さらに前記対応関係編集部により前記対応関係が編集された場合にも当該対応関係を前記通信管理サーバに送信する、電子時計と電子機器間の通信制御システム。
【手続補正１２】
【補正対象書類名】明細書
【補正対象項目名】００２０
【補正方法】変更
【補正の内容】
【００２０】
（７）（３）〜（６）のいずれかにおいて、前記電子機器は、入力部からの入力に応じて、前記対応関係を編集する対応関係編集部をさらに有し、前記対応関係送信部は、さらに前記対応関係編集部により前記対応関係が編集された場合にも当該対応関係を前記電子時計に送信する、電子時計と電子機器間の通信制御システム。
【手続補正１３】
【補正対象書類名】明細書
【補正対象項目名】００２１
【補正方法】変更
【補正の内容】
【００２１】
（８）（１）〜（７）のいずれかにおいて、前記電子機器は、前記複数の時計識別子と、それぞれの前記時計識別子に対応づけられた機器との対応関係を表示部に表示させる対応関係表示部を有する、電子時計と電子機器間の通信制御システム。
【手続補正１４】
【補正対象書類名】明細書
【補正対象項目名】００２２
【補正方法】変更
【補正の内容】
【００２２】
（９）互いに異なる複数の時計識別子を有し、前記複数の時計識別子のうちの一の時計識別子を選択する時計識別子選択部と、選択された前記一の時計識別子と電子機器の機器識別子との対応関係に加え、他の前記時計識別子と他の電子機器の機器識別子との対応関係を記憶する時計側対応関係記憶部と、を有する電子時計。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
また、上記本発明の（１）及び（９）の側面によれば、電子時計との接続対象として他機が選択されている場合に、自機が接続対象となっていないことを明確に判定できる。
【手続補正２０】
【補正対象書類名】明細書
【補正対象項目名】００２８
【補正方法】変更
【補正の内容】
【００２８】
また、上記本発明の（２）の側面によれば、電子時計と電子機器の接続が新たに確立された場合に、電子時計側で当該電子機器を接続対象として選択できるようになる。
【手続補正２１】
【補正対象書類名】明細書
【補正対象項目名】００２９
【補正方法】変更
【補正の内容】
【００２９】
また、上記本発明の（３）の側面によれば、電子時計によって、複数の時計識別子と複数の機器識別子との対応関係を一括して管理できる。
【手続補正２２】
【補正対象書類名】明細書
【補正対象項目名】００３０
【補正方法】変更
【補正の内容】
【００３０】
また、上記本発明の（４）の側面によれば、電子時計と接続実績の無い電子機器であっても、電子時計からブロードキャストメッセージを受信した場合に、自機が接続対象とされているか否かを判定できる。
【手続補正２３】
【補正対象書類名】明細書
【補正対象項目名】００３１
【補正方法】変更
【補正の内容】
【００３１】
また、上記本発明の（５）の側面によれば、削除通知の送信対象である電子機器を電子時計との接続対象から除外することができる。
【手続補正２４】
【補正対象書類名】明細書
【補正対象項目名】００３２
【補正方法】変更
【補正の内容】
【００３２】
また、上記本発明の（８）の側面によれば、複数の時計識別子と電子機器との対応関係が容易に把握できる。
【手続補正２５】
【補正対象書類名】明細書
【補正対象項目名】００３３
【補正方法】変更
【補正の内容】
【００３３】
また、上記本発明の（７）の側面によれば、一の電子機器で行なわれた対応関係の編集が電子時計に記憶され、他の電子機器に最新の対応関係が同期される。
【手続補正２６】
【補正対象書類名】明細書
【補正対象項目名】００３４
【補正方法】変更
【補正の内容】
【００３４】
また、上記本発明の（６）の側面によれば、一の電子機器で行なわれた対応関係の編集が通信管理サーバに記憶され、接続実績の無い電子機器にも最新の対応関係が同期される。